(57)【要約】【課題】本発明は、光源装置、特にプロジェクタに用いる光源装置に関するものであり、バーナーの破損の衝撃によるリフレクタの破損があっても、その破片が外部に飛散することを防止すると共に、照射光がリフレクタ側壁から外部に漏れることを防止することを目的とする。また、リフレクタの過熱を効率的に冷却することを目的とするものである。【解決手段】本発明は、請求項１に記載するように、  放電ランプと、この放電ランプの周囲を囲み、一定方向に光を反射する反射鏡と、この反射鏡の外周を密着して囲む遮光用薄膜材と、この遮光用薄膜材を囲むメッシュ状のシート材を有することを特徴とする光源装置である。【選択図】    図１
2005107464.tif 000002
【特許請求の範囲】
【請求項１】
放電ランプと、この放電ランプの周囲を囲み、一定方向に光を反射する反射鏡と、この反射鏡の外周を密着して囲む遮光用薄膜材と、この遮光用薄膜材を囲むメッシュ状のシート材を有することを特徴とする光源装置。
【請求項２】
前記反射鏡の前端部でこの反射鏡を保持固定する樹脂性のケース体と、このケース体に前記反射鏡前端部を固定するフック材とを有し、前記メッシュ状のシート材をこのフックにて固定することを特徴とする請求項１項記載の光源装置。
【請求項３】
前記ケース体には、前記放電ランプに冷却風を導くための開口を有すると共に、前記メッシュ状のシート材にてこの開口を覆うことを特徴とする請求項１項記載の光源装置。
【発明の詳細な説明】
【技術分野】
【技術分野】
【０００１】本発明は、光源装置、特にプロジェクタ等に用いる光源装置に関するものである。
【背景技術】
【０００２】通常、高圧水銀灯からなる放電ランプが破損した場合、その破片がガラス材からなる反射鏡を直撃し、この反射鏡に強い衝撃が加わり、反射鏡が破損し飛散することがある。
この問題を解決するためには、反射鏡の母材として、衝撃に対して高強度な結晶化ガラスを用いることが考えられるが、このような高強度な結晶化ガラスは高価でありコスト増を招く。
また、反射鏡を厚く構成することも考えられるが、高厚膜の反射鏡を成型するには長時間を要し、やはりコスト増となる。更に、熱歪に弱く、割れやすくなってしまう。
更に、反射鏡を透過し漏れる光が、投影画像の品質を劣化させるという問題がある。【０００３】
【特許文献１】特開２００１−５０９９号
【特許文献２】特開２００２−２１６５３１号
【特許文献３】特開２００３−２１７３３１号
【発明の開示】
【発明が解決しようとする課題】
【０００４】上記特許文献１、及び２には、光源装置の管球部が破裂した場合の、ガラス破片や、封入されている水銀が外部に飛散するのを防止する技術が記載されている。この従来例では、反射鏡の外表面に、この反射鏡より大きい圧縮強度、及び耐熱性を有する膜状の飛散防止膜をフィル厶状ないしはシート状形成すること、及びコーティングすることを特徴としている。
この従来技術では、フィルム状ないしはシート状の飛散防止膜を反射鏡に接着することにより、反射鏡が破損しても、飛散防止膜に付着させることにより、破片が外部に飛び散ることを防止するものである。【０００５】この従来例では、フィルム状ないしはシート状あるいはコーティングにより飛散防止膜を構成するため、基本的に樹脂を用いる。このため、熱伝導性に劣り、冷却効率が悪く、かつ耐熱性に問題がある。
また、反射鏡全体を囲むため、熱がこもり易い。
本発明では、熱を効率良く放出すると共に、反射鏡が破損しても外部に飛散しない光源の保護構造を提供するものである。【０００６】また、上記特許文献３では、金属の構造体で反射鏡を覆うことにより、遮光すると共に、飛散防止を行うものであるが、この金属の構造体の製造コストがかかってしまう。また、光源装置が大きくなり、更にはこの構造体の内部に熱がこもるため、冷却風による冷却効率が落ちてしまう。
【課題を解決するための手段】
【０００７】上記課題を解決するため、本発明は、請求項１に記載するように、放電ランプと、この放電ランプの周囲を囲み、一定方向に光を反射する反射鏡と、この反射鏡の外周を密着して囲む遮光用薄膜材と、この遮光用薄膜材を囲むメッシュ状のシート材を有することを特徴とする光源装置である。【０００８】また、請求項２に記載するように、前記反射鏡の前端部でこの反射鏡を保持固定する樹脂性のケース体と、このケース体に前記反射鏡前端部を固定するフック材とを有し、前記メッシュ状のシート材をこのフックにて固定することを特徴とする請求項１項記載の光源装置。である。
【発明の効果】
【０００９】本発明では、金属性の遮光用薄膜材を用いることにより、光漏れを低減できると共に、メッシュ状のシートでこの遮光材を覆っているため、バーナーの破損の衝撃によるリフレクタの破損があっても、その破片が外部に飛散することを防止することができる。
更に、メッシュ状の保護シートは冷却風を遮ることがなく、効率的に冷却することが可能となる。
【発明を実施するための最良の形態】
【発明を実施するための最良の形態】
【００１０】以下、本発明を実施するための最良の形態について、図面を参照して詳細に説明する。
【実施例】
【００１１】図１は本発明の一実施例を示す断面図であり、光源１の構成部品の位置関係を示している。尚、メッシュ状シート材５は１００分の５ミリの金属細線を上下、左右方向に編みこんだ布状のものであり遮光材の設けられたリフレクタ３全体を覆っている。
これらの図において、２は高圧水銀などが充填され、放電により光を放出する放電ランプ（以下バーナーと言う。）であり、３はバーナー２から放出された光線を集光して２次光源を作る集光ミラーとしてのリフレクタ（反射鏡）である。４はアルミニウム箔からなる遮光材であり、５はこのアルミ箔４で覆われたリフレクタ３を覆う、メッシュ状の保護シートである。
６はケース体であり、断面ではなく側面図を示している。
図１ではケース体６は、便宜上リフレクタ３から離間して表しているが、リフレクタ３はこのケース体６に、リフレクタ３の前端部とケース体６の後端部に形成された矩形状の張出し部分により位置決めされて、フックにて保持・固定される。
９はこのケース体に設けられた開口であり、この開口から冷却風が導入され、前記バーナー２が冷却される。
尚、遮光材４は両面接着テープによってリフレクタ３に接着されている。この遮光材４は、遮光と共に、放熱を行うものであり、リフレクタ３の熱を効率的に放出するため、金属材料からなり、かつリフレクタ３に密着して設けられることが好ましい。【００１２】リフレクタ３は、バーナー２から放出される光を反射するものであり、安価なボロンシリコン系ガラスを母材とし、内側に図示しない光反射膜がコーティングされている。尚、本発明は母材の材質には限定されず、他のガラス材を用いてもよい。【００１３】バーナー２から放出される光の中に含まれる赤外線成分は、リフレクタ３を透過するが、アルミ箔４は金属であり、このアルミ箔４にてよって、熱は効率的に外部に放出される。【００１４】更に、このアルミ箔４で覆われたリフレクタ３は、メッシュ状の保護シート５で覆われているが、この保護シート５のメッシュ網の間隔は０．１ｍｍ角以下に構成されており、バーナー２が破損し、このバーナー２のガラス破片の衝撃によりリフレクタ３が破損しても、保護シート５により破片が外部へ飛散することはない。
また、保護シート５は、極めて細い細線を織込んだものを設けているため、冷却風の通りがよく、冷却効率が高効率に維持される。【００１５】図２にの光源１の斜視図を示す。
保護シート５は、ケース体６にリフレクタ３を固定するフック７を共用することによって複数箇所で固定されている。
この保護シート５は、リフレクタ３に密着して設けられる必要はなく、前記アルミ箔４がリフレクタ３から完全に剥離することを防止できれば、隙間やしわが形成されていてもよい。【００１６】尚、保護シート５の前方は、ケース体６にリフレクタ３を固定するフック７で固定されているが、この保護シート５の後方の端部は図示しない接着テープによってリフレクタ３の軸芯部に固定されている。【００１７】ケース体６には開口９が形成されており、この開口９を通して冷却風が導入され、バーナー２は冷却されるが、この開口９を保護シート５で覆っているため、バーナー２が破損した場合でも、この開口から破片が飛散することが防止される。尚、ケース体６には電極用開口が設けられており、この開口を通してバーナー２の一方の電極が配線８ａに接続される。
更に、リフレクタ３の後方軸芯部には、バーナー２の他方の電極用開口が設けられており、このこの開口を通して、バーナー２の他方の電極が配線８ｂに接続される。【００１８】尚、本発明は、上述の一実施例に限定されるものではなく、例えば、遮光材はアルミ箔に限定されるものではなく、可視光を遮断するものであれば他の材料を用いてもよい。
また保護シートの固定に際して、保護シートの一端を、ケース体にリフレクタ３を固定するフックを共用して固定し、他端を接着テープで固定する構成でなくてもよい。例えば、ねじ止め、接着剤による固定などであってもよい。
更に、メッシュ状のシート材はテフロンなどの樹脂材を用いてもよい。
【産業上の利用可能性】
【００１９】本発明は、プロジェクタ等の高出力な光源として利用できる。
【図面の簡単な説明】
【図１】図１は、本発明の実施例の形態に係る主要な構成を示す断面図である。
【図２】図２は、本発明の実施例の形態に係る主要な構成を示す斜視図である。
【符号の説明】
１：光源
２：放電ランプ
３：リフレクタ
４：遮光材
５：メッシュ状シート材
６：ケース体
【図１】
2005107464.tif 000003
【図２】
2005107464.tif 000004